(57)【要約】【課題】主に各種電子機器の操作に用いられるリモコン送信機に関し、表示手段の表示が見易く、容易な操作が可能なものを提供することを目的とする。【解決手段】制御手段１７が電池８の電圧を検出すると共に、この電圧に応じて照光手段５へのパルス出力を可変することによって、電池８が消耗して電圧が低下した際に、制御手段１７がこれを検出して、パルス幅を大きくして照光手段５へ出力し、照光手段５に流れる平均電流を一定に保つことができるため、発光素子５Ｂによる明るく良好な照光が行え、表示手段２の表示が見易く容易な操作が可能なリモコン送信機を得ることができる。【選択図】図１
2010050660.tif 000002
【特許請求の範囲】
【請求項１】
略箱型のケース上面に装着された表示手段と、上記ケース上面に設けられた操作体の操作によって電気的接離を行うスイッチ接点と、上記表示手段を下面から照光する照光手段と、上記スイッチ接点の電気的接離に応じて、送信手段からリモコン信号を送信する制御手段からなり、上記制御手段が電池の電圧を検出すると共に、この電圧に応じて上記照光手段へのパルス出力を可変するリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、液晶表示素子等の表示手段を設け、この表示手段に温度や音量等の操作機能を表示することによって、高機能な操作を行い易くしたものが増えている。
【０００３】
このような従来のリモコン送信機について、図４〜図６を用いて説明する。
【０００４】
図４は従来のリモコン送信機のブロック回路図、図５は同斜視図であり、同図において、１は略箱型で絶縁樹脂製のケース、２は液晶表示素子等の表示手段、３は絶縁樹脂やゴム等の操作体で、表示手段２がケース１上面に装着されると共に、複数の操作体３がケース１上面の開口孔から上下動可能に突出している。
【０００５】
そして、ケース１内には上下面に複数の配線パターンが形成された配線基板（図示せず）が収納され、複数の操作体３下方の配線基板上面には、操作体３の上下動によって、電気的接離を行う複数のスイッチ接点４が形成されている。
【０００６】
また、表示手段２下方の配線基板上面には、トランジスタ５Ａのコレクタに直列に接続された発光ダイオード等の発光素子５Ｂと制限抵抗５Ｃ、及びベースに接続されたベース抵抗５Ｄから形成された照光手段５が設けられている。
【０００７】
さらに、この配線基板には同様に、トランジスタ６Ａや発光素子６Ｂ、制限抵抗６Ｃ、ベース抵抗６Ｄから形成された送信手段６が設けられると共に、マイコン等によって制御手段７が形成され、この制御手段７に配線パターンを介して、表示手段２やスイッチ接点４、照光手段５、送信手段６、電池８等が接続されて、リモコン送信機が構成されている。
【０００８】
以上の構成において、リモコン送信機を操作する機器、例えばエアコンに向けて、例えば、電源の入／切等の操作体３を押圧操作すると、この下方のスイッチ接点４の電気的接離が行われ、この電気的接離に応じて制御手段７が、送信手段６の発光素子６Ｂを発光させて、赤外線のリモコン信号が電子機器へ送信され、例えば、エアコンの電源の入／切等が遠隔操作によって行われる。
【０００９】
また、制御手段７が照光手段５の発光素子５Ｂを発光させ、この光が表示手段２を下面から照光して、例えば、表示手段２にエアコンの設定温度等が表示された状態で、温度増減等の操作体３を押圧操作すると、同様にこの下方のスイッチ接点４の電気的接離を制御手段７が検出し、表示手段２に表示された設定温度等が変化する。
【００１０】
そして、同時に、制御手段７が送信手段６の発光素子６Ｂを発光させて、温度増減等のリモコン信号が送信手段６から電子機器へ送信され、例えば、エアコンの温度が増加または減少する。
【００１１】
つまり、所定の操作体３の押圧操作によって、制御手段７が送信手段６から所定のリモコン信号を送信して、電子機器の遠隔操作を行うと共に、制御手段７が照光手段５によって表示手段２を照光し、表示手段２に様々な操作機能を表示することで、多様な操作を容易に行えるように構成されているものであった。
【００１２】
なお、このように制御手段７が照光手段５によって表示手段２を照光している状態では、図６（ａ）の波形図に示すように、電池８の電源電圧が例えば４．５Ｖであった場合、図６（ｂ）に示すように、照光手段５の発光素子５Ｂには一定の電流、例えば１５ｍＡの電流Ｉが流れている。
【００１３】
しかし、リモコン送信機が一定期間使用され、電池８が消耗して、図６（ｃ）に示すように、例えば電圧が４．０Ｖに低下すると、発光素子５Ｂに流れる電流Ｉも図６（ｄ）に示すように、例えば７ｍＡに減少するため、発光素子５Ｂの輝度が下がり、表示手段２の照光が暗くなり見えにくくなってしまう場合がある。
【００１４】
なお、この出願の発明に関連する先行技術文献情報としては、例えば、特許文献１が知られている。
【特許文献１】特開２００７−５１９７号公報
【発明の開示】
【発明が解決しようとする課題】
【００１５】
しかしながら、上記従来のリモコン送信機においては、一定期間使用され電池８が消耗して、電圧が低下した場合、照光手段５に流れる電流が減少して輝度が下がり、表示手段２の照光が暗くなって表示が見えにくくなり、操作が行いづらくなってしまうという課題があった。
【００１６】
本発明は、このような従来の課題を解決するものであり、表示手段の表示が見易く、容易な操作が可能なリモコン送信機を提供することを目的とする。
【課題を解決するための手段】
【００１７】
上記目的を達成するために本発明は、スイッチ接点の電気的接離に応じて、送信手段からリモコン信号を送信する制御手段が、電池の電圧を検出すると共に、この電圧に応じて照光手段へのパルス出力を可変するようにしてリモコン送信機を構成したものであり、電池が消耗して電圧が低下した際、制御手段がこれを検出し、パルス幅を大きくして照光手段へ出力することによって、照光手段に流れる平均電流を一定に保つことができるため、発光素子による明るく良好な照光が行え、表示手段の表示が見易く容易な操作が可能なリモコン送信機を得ることができるという作用を有するものである。
【発明の効果】
【００１８】
以上のように本発明によれば、表示手段の表示が見易く、容易な操作が可能なリモコン送信機を実現できるという有利な効果が得られる。
【発明を実施するための最良の形態】
【００１９】
以下、本発明の実施の形態について、図１〜図３を用いて説明する。
【００２０】
なお、背景技術の項で説明した構成と同一構成の部分には同一符号を付して、詳細な説明を簡略化する。
【００２１】
（実施の形態）
図１は本発明の一実施の形態によるリモコン送信機のブロック回路図、図２は同斜視図であり、同図において、１は略箱型でポリスチレンやＡＢＳ等の絶縁樹脂製のケース、２は液晶表示素子等の表示手段、３は絶縁樹脂やゴム等の操作体で、表示手段２がケース１上面に装着されると共に、複数の操作体３がケース１上面の開口孔から上下動可能に突出している。
【００２２】
そして、ケース１内には銅箔等によって上下面に複数の配線パターンが形成された、紙フェノールやガラス入りエポキシ等の配線基板（図示せず）が収納されると共に、複数の操作体３下方の配線基板上面には、操作体３の上下動によって、電気的接離を行う複数のスイッチ接点４が形成されている。
【００２３】
また、表示手段２下方の配線基板上面には、トランジスタ５Ａのコレクタに直列に接続された発光ダイオード等の発光素子５Ｂと制限抵抗５Ｃ、及びベースに接続されたベース抵抗５Ｄから形成された照光手段５が設けられている。
【００２４】
さらに、この配線基板には同様に、トランジスタ６Ａや発光素子６Ｂ、制限抵抗６Ｃ、ベース抵抗６Ｄから形成された送信手段６が設けられると共に、マイコン等によって電圧検出部１７Ａと制御部１７Ｂ、パルス出力部１７Ｃから形成された制御手段１７が設けられている。
【００２５】
そして、この制御手段１７の電圧検出部１７Ａが配線パターンを介して電池８に、パルス出力部１７Ｃが照光手段５のトランジスタ５Ａのベースに各々接続されると共に、表示手段２やスイッチ接点４、送信手段６等が制御手段１７に接続されて、リモコン送信機が構成されている。
【００２６】
以上の構成において、リモコン送信機を操作する機器、例えばエアコンに向けて、例えば、電源の入／切等の操作体３を押圧操作すると、この下方のスイッチ接点４の電気的接離が行われ、この電気的接離に応じて制御手段１７が、送信手段６の発光素子６Ｂを発光させて、赤外線のリモコン信号が電子機器へ送信され、例えば、エアコンの電源の入／切等が遠隔操作によって行われる。
【００２７】
また、制御手段１７が照光手段５の発光素子５Ｂを発光させ、この光が表示手段２を下面から照光して、例えば、表示手段２にエアコンの設定温度等が表示された状態で、温度増減等の操作体３を押圧操作すると、同様にこの下方のスイッチ接点４の電気的接離を制御手段１７が検出し、表示手段２に表示された設定温度等が変化する。
【００２８】
そして、同時に、制御手段１７が送信手段６の発光素子６Ｂを発光させて、温度増減等のリモコン信号が送信手段６から電子機器へ送信され、例えば、エアコンの温度が増加または減少する。
【００２９】
つまり、所定の操作体３の押圧操作によって、制御手段１７が送信手段６から所定のリモコン信号を送信して、電子機器の遠隔操作を行うと共に、制御手段１７が照光手段５によって表示手段２を照光し、表示手段２に様々な操作機能を表示することで、多様な操作を容易に行えるように構成されている。
【００３０】
なお、このように制御手段１７が照光手段５によって表示手段２を照光する際、電池８の電源電圧が例えば４．５Ｖであった場合には、制御手段１７の電圧検出部１７Ａがこれを検出し、制御部１７Ｂがパルス出力部１７Ｃから照光手段５のトランジスタ５Ａのベースへ、図３（ａ）の波形図に示すような、例えばパルス幅が１３μ秒で周期が２６μ秒のパルス電圧が出力される。
【００３１】
そして、これによってトランジスタ５Ａが作動し、照光手段５の発光素子５Ｂに流れる電流が、例えば３０ｍＡであった場合には、図３（ｂ）に示すように、上記と同じパルス幅と周期の電流、すなわち平均電流Ｉが１５ｍＡの電流が流れて発光素子５Ｂが発光し、この光が表示手段２を下面から照光する。
【００３２】
また、リモコン送信機が一定期間使用され、電池８が消耗して電圧が例えば４．０Ｖに低下した場合には、これを電圧検出部１７Ａが検出し、パルス出力部１７Ｃからトランジスタ５Ａのベースへは、図３（ｃ）に示すような、例えばパルス幅が１９．５μ秒で周期が２６μ秒の、上記よりもパルス幅の大きなパルス電圧が出力される。
【００３３】
そして、この時、発光素子５Ｂに流れる電流が、例えば２０ｍＡと少なくなっていた場合でも、このパルス出力部１７Ｃからのパルス電圧によって、図３（ｄ）に示すように、１９．５μ秒と大きなパルス幅の電流、すなわち平均電流Ｉが上記と同様の１５ｍＡの電流が流れて、発光素子５Ｂが発光する。
【００３４】
つまり、制御手段１７の電圧検出部１７Ａが電池８の電圧を検出すると共に、この電圧に応じて制御部１７Ｂが、パルス出力部１７Ｃから照光手段５のトランジスタ５Ａへ出力するパルス電圧のパルス幅を可変することによって、電池８が消耗して電圧が低下した場合でも、発光素子５Ｂには一定の１５ｍＡの平均電流Ｉが流れるようになっている。
【００３５】
すなわち、電池８の電源電圧が低下した場合でも、制御手段１７によって照光手段５の発光素子５Ｂは常に一定の明るさで発光して、表示手段２を照光するようになっているため、表示手段２に表示された様々な操作機能が見易く、多様な遠隔操作を容易に行うことができるように構成されている。
【００３６】
なお、電池８の消耗が進んで電源電圧があまり低下してしまうと、以上のような発光素子５Ｂの発光制御を行っても、表示手段２の照光が暗くなってしまうため、電圧検出部１７Ａが検出する電池８の電圧が所定値以下になった場合には、これを報知するようにすることで、使用者に電池交換の時期を知らせることができる。
【００３７】
つまり、電池８の電圧が例えば３．５Ｖ以下になった場合には、これを表示手段２に表示したり、あるいは別途発光ダイオードやブザーを設け、これらを点滅または吹鳴させたりすることで、電池８の消耗や交換時期を使用者に報知することができる。
【００３８】
このように本実施の形態によれば、制御手段１７が電池８の電圧を検出すると共に、この電圧に応じて照光手段５へのパルス出力を可変することによって、電池８が消耗して電圧が低下した際に、制御手段１７がこれを検出して、パルス幅を大きくして照光手段５へ出力し、照光手段５に流れる平均電流を一定に保つことができるため、発光素子５Ｂによる明るく良好な照光が行え、表示手段２の表示が見易く容易な操作が可能なリモコン送信機を得ることができるものである。
【００３９】
なお、以上の説明では、電圧検出部１７Ａを制御手段１７に一体に形成した構成として説明したが、複数の比較器によって電圧を比較する電圧コンパレータや、アナログ信号をこれに対応したデジタル信号に変換するＡ／Ｃコンバータ等を用い、これらを制御手段１７に接続する構成としてもよい。
【００４０】
また、以上の説明では、遠隔操作する電子機器としてエアコンを用い、この電源の入／切や温度増減等を操作する構成について説明したが、テレビやビデオ、オーディオ機器等、様々な電子機器を遠隔操作するリモコン送信機についても、本発明の実施は可能である。
【産業上の利用可能性】
【００４１】
本発明によるリモコン送信機は、表示手段の表示が見易く、容易な操作が可能なものが得られ、主に各種電子機器の操作用として有用である。
【図面の簡単な説明】
【００４２】
【図１】本発明の一実施の形態によるリモコン送信機のブロック回路図
【図２】同斜視図
【図３】同波形図
【図４】従来のリモコン送信機のブロック回路図
【図５】同斜視図
【図６】同波形図
【符号の説明】
【００４３】
１  ケース
２  表示手段
３  操作体
４  スイッチ接点
５  照光手段
５Ａ、６Ａ  トランジスタ
５Ｂ、６Ｂ  発光素子
５Ｃ、６Ｃ  制限抵抗
５Ｄ、６Ｄ  ベース抵抗
６  送信手段
８  電池
１７  制御手段
１７Ａ  電圧検出部
１７Ｂ  制御部
１７Ｃ  パルス出力部
【図１】
2010050660.tif 000003
【図２】
2010050660.tif 000004
【図３】
2010050660.tif 000005
【図４】
2010050660.tif 000006
【図５】
2010050660.tif 000007
【図６】
2010050660.tif 000008